(57)【要約】【課題】  例えば、リレやヒューズなどの電子部品が取り付けられて電気的な接続が行われる電気接続箱に係り、特に、製造が容易で、設計変更も容易に短期間で行うことができ、その費用も安価で済む電気接続箱を提供すること。【解決手段】  複数の収納部が設けられたケースと、上記ケースの収納部に挿入・固定される複数のカセットと、上記カセットに挿入・固定され、少なくとも電源接続端子を有する電子部品と、上記ケース及び上記カセットに挿入される平板状のバスバを具備し、上記カセットは、上記ケースの収納部に挿入・固定された場合、上記カセットに挿入・固定された上記電子部品の電源接続端子が一直線上に並ぶように構成されており、上記バスバと上記電源接続端子が電気的に接続されているものであることを特徴とするもの。【選択図】図１０
2012090484.tif 000002
【特許請求の範囲】
【請求項１】
複数のカセット収納部が設けられたケースと、
上記カセット収納部に挿入・固定され、少なくとも電源接続端子を備えた電子部品が挿入・固定される電子部品挿入固定部を備えたカセットと、
上記ケース及び上記カセットに挿入され、上記電子部品の電源接続端子と電気的に接続される平板状のバスバと、を具備し、
上記カセットは、上記カセット収納部に挿入・固定された場合、上記電子部品挿入固定部に挿入・固定される上記電子部品の電源接続端子が一直線上に並ぶように構成されていて、
上記バスバはその一直線上に並んだ電源接続端子に対応する位置に挿入されることを特徴とする電気接続箱。
【請求項２】
請求項１記載の電気接続箱において、
上記カセットは上記ケースの何れのカセット収納部にも挿入・固定が可能であることを特徴とする電気接続箱。
【請求項３】
請求項１又は請求項２記載の電気接続箱において、
上記カセットは、上記電子部品の種類に応じて上記電子部品挿入固定部の位置を変えることにより、上記電源接続端子が一直線に並ぶようにしていることを特徴とする電気接続箱。
【請求項４】
請求項１〜請求項３の何れかに記載の電気接続箱において、
上記バスバには上記電子部品の電源接続端子に接続される端子が、上記電子部品に応じて設定された所定の長さで突出・形成されていることを特徴とする電気接続箱。
【発明の詳細な説明】
【技術分野】
【０００１】
本発明は、例えば、自動車のリレーボックスやヒューズボックスとして使用される電気接続箱に係り、特に、スプライス処理（電線端末の分岐・接続処理）の負担が少なく、リレやヒューズ等の電子部品の数や種類の増減による設計変更も行い易いように工夫したものに関する。
【背景技術】
【０００２】
自動車などの電気配線にはリレーボックスやヒューズボックスなどの電気接続箱が用いられる。この電気接続箱は、車種等によって異なる構造となる。そのため、構造の異なる多くの種類の電気接続箱を設計しなければならず、成型金型の製造などにより多くの費用や期間を必要としていた。
従来はこのような問題を解決するために、特許文献１〜特許文献３に記載されたような電気接続箱が存在していた。
【０００３】
まず、特許文献１に記載された電気接続箱は、一種類のカセットフレームに対して、種々のカセット電装ブロックを適宜組み付けるような構成としたことにより、電気接続箱の設計変更に対応したものである。
また、特許文献２に記載された自動車用リレーボックスは、１個のリレと１個のヒューズとそれらを接続するバスバを収容したハウジングに雌雄ロック部を設け、その雌雄ロック部によって複数のハウジングを接続して、設計変更によるヒューズやリレの増減に対応したものである。
また、特許文献３に記載された自動車用リレーボックスは、ブロック本体に、カセット式のリレやヒューズを着脱自在に嵌合させる構成としたことに加え、電源供給のためのバスバも設置して、設計変更に対応したものである。
【先行技術文献】
【特許文献】
【０００４】
【特許文献１】特開２００５−８６８６５号公報
【特許文献２】特開２００２−３１５１５７号公報
【特許文献３】特開２００３−１２５５１６号公報
【発明の概要】
【発明が解決しようとする課題】
【０００５】
上記従来の構成によると、次のような問題があった。
まず、特許文献１に記載された電気接続箱や特許文献２に記載された自動車用リレーボックスでは、リレやヒューズに電源を供給するために、ワイヤーハーネスを使用して、上記リレやヒューズに対して個々にスプライス処理を施さなければならず、そのため、電気接続箱（リレーボックス）の組み立て作業が面倒になってしまうという問題があった。
また、特許文献３に記載された自動車用リレーボックスの場合には、バスバを使用する構成になっているので、ワイヤーハーネスを使用した個々の電子部品に対するスプライス処理は不要となるが、その代わりにバスバの構造が複雑化してしまうという問題があった。
【０００６】
本願発明はこのような点に基づいてなされたもので、その目的とするところは、製造が容易で、設計変更も容易に短期間で行うことができ、その費用も安価で済む電気接続箱を提供することにある。
【課題を解決するための手段】
【０００７】
上記課題を解決するべく請求項１記載の電気接続箱は、複数のカセット収納部が設けられたケースと、上記カセット収納部に挿入・固定され、少なくとも電源接続端子を備えた電子部品が挿入・固定される電子部品挿入固定部を備えたカセットと、上記ケース及び上記カセットに挿入され、上記電子部品の電源接続端子と電気的に接続される平板状のバスバと、を具備し、上記カセットは、上記カセット収納部に挿入・固定された場合、上記電子部品挿入固定部に挿入・固定される上記電子部品の電源接続端子が一直線上に並ぶように構成されていて、上記バスバはその一直線上に並んだ電源接続端子に対応する位置に挿入されることを特徴とするものである。
また、請求項２記載の電気接続箱は、請求項１記載の電気接続箱において、上記カセットは上記ケースの何れのカセット収納部にも挿入・固定が可能であることを特徴とするものである。
また、請求項３記載の電気接続箱は、請求項１又は請求項２記載の電気接続箱において、上記カセットは、上記電子部品の種類に応じて上記電子部品挿入固定部の位置を変えることにより、上記電源接続端子が一直線に並ぶようにしていることを特徴とするものである。
また、請求項４記載の電気接続箱は、請求項１〜請求項３の何れかに記載の電気接続箱において、上記バスバには上記電子部品の電源接続端子に接続される端子が、上記電子部品に応じて設定された所定の長さで突出・形成されていることを特徴とするものである。
【発明の効果】
【０００８】
以上述べたように、本願発明の請求項１による電気接続箱によると、カセットは、カセット収納部に挿入・固定された場合、電子部品挿入固定部に挿入・固定される電子部品の電源接続端子が一直線上に並ぶように構成されているので、上記電子部品の電気接続端子と電気的に接続されるバスバを平板状のものとすることができ、それによって、バスバの形状を簡単なものとすることが可能となり、且つ、電気接続箱の製造が容易になる。
また、請求項２記載の電気接続箱によると、上記カセットを上記ケースの収納部のうちの何れにも挿入・固定することが可能な構成となっているので、設計変更、例えば、使用するカセットの配列の変更等に対しても容易に対応することができる。
また、請求項３記載の電気接続箱によると、電子部品の種類に応じて上記カセットの電子部品挿入固定部の位置を変えており、それによって上記電源接続端子が一直線上に並ぶようにしている構成になっているので、簡単な構成により電源接続端子の一直線化を実現することができる。
また、請求項４記載の電気接続箱によると、電子部品に応じて設定された所定の長さで端子を突出・形成するという簡単な構成により、上記電源接続端子に対する確実な電気的接続構造を提供することができる。
【図面の簡単な説明】
【０００９】
【図１】本発明の一実施の形態を示す図で、本実施の形態による電気接続箱内に電子部品が挿入・固定されたカセットを挿入・固定した状態を電子部品の側から視た斜視図である。
【図２】本発明の一実施の形態を示す図で、本実施の形態による電気接続箱内に電子部品が挿入・固定されたカセットを挿入・固定した状態をバスバの側から視た斜視図である。
【図３】本発明の一実施の形態を示す図で、本実施の形態による電気接続箱のケースを示す平面図である。
【図４】本発明の一実施の形態を示す図で、本実施の形態による電気接続箱のケースとバスバを、バスバがケースに挿入される側から視た斜視図である。
【図５】本発明の一実施の形態を示す図で、図５（ａ）はリレー用カセットを示す平面図、図５（ｂ）はスローブローヒューズ用カセットを示す平面図、図５（ｃ）はブレードヒューズ用カセットを示す平面図である。
【図６】本発明の一実施の形態を示す図で、本実施の形態による電気接続箱の分解斜視図である。
【図７】本発明の一実施の形態を示す図で、本実施の形態による電気接続箱の分解斜視図である図６をバスバの位置で断面にした縦断面図である。
【図８】本発明の一実施の形態を示す図で、図８（ａ）はリレー用カセットにリレを挿入・固定した状態を示す断面図であり、図８（ｂ）はスローブローヒューズをスローブローヒューズ用カセットに挿入・固定した状態を示す断面図であり、図８（ｃ）はブレードヒューズをブレードヒューズ用カセットに挿入・固定した状態を示す断面図である。
【図９】本発明の一実施の形態を示す図で、図９（ａ）は電子部品が挿入・固定されたカセットとケースを示す分解斜視図、図９（ｂ）はカセットがケースに挿入・固定された際の、ケース側係合部とカセット側係合部の係合状態を示す断面図である。
【図１０】本発明の一実施の形態を示す図で、図１のＸ−Ｘ断面図である。
【図１１】本発明の一実施の形態を示す図で、図１１（ａ）は図１のａ−ａ断面図、図１１（ｂ）は図１のｂ−ｂ断面図である。
【図１２】本発明の一実施の形態を示す図で、図１２（ａ）は本実施の形態による電気接続箱をバスバが挿入された側から見た底面図、図１２（ｂ）は本実施の形態による電気接続箱内のスローブローヒューズ、ブレードヒューズ及びバスバの位置関係を示した底面図である。
【図１３】本発明の一実施の形態を示す図で、バスバを取り除いた電気接続箱をバスバが挿入される側から視た底面図である。
【発明を実施するための形態】
【００１０】
以下、図１乃至図１３を参照して、本願発明の一実施の形態を説明する。
【００１１】
まず、本実施の形態による電気接続箱１の概要について説明する。
上記電気接続箱１は、図１に示すように、まず、ケース３がある。上記ケース３内には、リレー用カセット５ａ、スローブローヒューズ用カセット５ｂ、ブレードヒューズ用カセット５ｃが挿入・固定されている。また、上記リレー用カセット５ａ内にはリレ７が挿入・固定されている。また、上記スローブローヒューズ用カセット５ｂ内にはスローブローヒューズ９、９が挿入・固定されている。また、上記ブレードヒューズ用カセット５ｃ内にはブレードヒューズ１１、１１、１１が挿入・固定されている。
【００１２】
また、本実施の形態による電気接続箱１は、図２に示すように、底面側（図１中下側）からバスバ１３を挿入されている。
なお、図２は、図１を底面側から見た斜視図である。
上記バスバ１３は、上記スローブローヒューズ９、９の電源接続端子５７ａ、５７ａ、及び、上記ブレードヒューズ１１、１１、１１の電源接続端子６１ａ、６１ａ、６１ａと電気的に接続されるものである。上記バスバ１３は導電性のある平板状の部材で、図７に示すように、上端部（図７中上側端）の角を切欠いた略長方形のスローブローヒューズ用端子１３ａ、１３ａと、ブレードヒューズ用端子１３ｃ、１３ｃ、１３ｃが、図７中上側に向かって突出・形成されている。個々の上記ブレードヒューズ端子１３ｃには、上端側（図７中上側）に開口されたスリット１３ｂが設けられている。
【００１３】
次に、図３、図４及び図６を用いて、上記ケース３について説明する。
上記ケース３は、略直方体形状で、図３中紙面垂直方向両端が開口した中空の部材である。上記ケース３の内側は、隔壁１５ａ、１５ｂによって、長さ方向（図３中上下方向）に等間隔に仕切られており、３つのカセット収納部１７ａ、１７ｂ、１７ｃが形成されている。
【００１４】
上記カセット収納部１７ａの内周面の略４隅には、上下方向（図３中紙面垂直方向）にケース側ガイド用凸部１９、１９、１９、１９が形成されている。また、上記ケース側ガイド用凸部１９、１９、１９、１９のそれぞれの下端（図４中上方向端）から上記ケース３の内周面に沿ってストッパ２１、２１、２１、２１が突出・形成されている。また、上記カセット収納部１７ａの内周面には、ケース側係合部２３、２３が形成されている。個々のケース側係合部２３には、それぞれ斜面２３ａが形成されている。上記斜面２３ａは、図６に示すように、その上端（図６中上側端）から下方に向かって上り勾配になっている。
また、上記カセット収納部１７ｂ及び上記カセット収納部１７ｃは、図３に示すように、上記カセット収納部１７ａと略同じ構成、寸法となっており、特にケース側ガイド用凸部１９、１９、１９、１９、ストッパ２１、２１、２１、２１やケース側係合部２３、２３の位置関係は同一である。
【００１５】
また、図４に示すように、上記隔壁１５ｂには、上記バスバ１３が挿入・固定されるバスバ用スリット２５が形成されている。上記バスバ用スリット２５は、上記バスバ１３を挿入しやすいように入り口付近が拡開されている。その拡開部を符号２５ａで示す。
【００１６】
なお、使用する上記リレー用カセット５ａ、上記スローブローヒューズ用カセット５ｂ及び上記ブレードヒューズ用カセット５ｃの総数を増減する場合は、上記電気接続箱１の構成部品のうち、上記ケース３のみを設計変更してカセット収納部の数を増減すればよい。また、上記バスバ１３が挿入されるカセットの数を増減する場合は、上記ケース３を設計変更してバスバ用スリットの設けられた隔壁を増減するとともに、上記バスバ１３を設計変更して、その全長や端子の数を変更すればよい。
【００１７】
次に、図５、図６及び図７を用いて、上記リレー用カセット５ａ、上記スローブローヒューズ用カセット５ｂ及び上記ブレードヒューズ用カセット５ｃについて説明する。
上記リレー用カセット５ａは、略直方体形状をなしており、上下方向（図５中紙面垂直方向）に電子部品挿入固定部としての端子用貫通孔２７ａ、２７ｂ、２７ｃ、２７ｄが穿孔されている。上記端子用貫通孔２７ａ、２７ｂ、２７ｃ、２７ｄに、後述する上記リレ７の端子が挿入されることにより、上記リレ７は上記リレー用カセット５ａに挿入・固定されることになる。
また、上記リレー用カセット５ａの外周面には、上下方向（図５（ａ）中紙面垂直方向）にカセット側ガイド用凸部２９、２９、２９、２９が形成されている。上記カセット側ガイド用凸部２９、２９、２９、２９は、上記リレ用カセット５ａが、上記ケース３のカセット収納部１７ａ、１７ｂ、１７ｃの何れかに挿入される際、上記ケース３のケース側ガイド用凸部１９、１９、１９、１９と摺接することになり、それによって、上記リレー用カセット５ａがガイドされることになる。
【００１８】
また、上記リレー用カセット５ａの外周面には、カセット側係合凸部３１、３１が形成されている。上記カセット側係合凸部３１には、図６に示すように、上記リレー用カセット５ａが、上記ケース３のカセット収納部１７ａ、１７ｂ、１７ｃの何れかに挿入される際、上記カセット収納部１７ａ、１７ｂ、１７ｃの何れかのケース側係合部２３の斜面２３ａに対応する斜面３１ａが形成されている。すなわち、上記斜面３１ａは、図６中上から下に向かって下り勾配になっている。
なお、上記リレー用カセット５ａは、上記ケース３のカセット収納部１７ａ、１７ｂ、１７ｃの何れにも挿入できる構成となっている。
【００１９】
上記スローブローヒューズ用カセット５ｂも略直方体形状を成しており、上部（図６中上側部分）には電子部品挿入固定部としてのスローブローヒューズ用凹部３３、３３が設けられている。上記スローブローヒューズ用凹部３３は、上記スローブローヒューズ用カセット５ｂの上面側（図６中上側）に開口している。また、上記スローブローヒューズ用凹部３３の底面（図６中下側面）には、端子用貫通孔３５ａ、３５ａ、３５ｂ、３５ｂが穿孔されている。
また、上記スローブローヒューズ用凹部３３の内周面には、上下方向（図５（ｂ）中紙面垂直方向）にスローブローヒューズ用ガイド部３７、３７、３７、３７、３８、３８、３８、３８が形成されている。
また、上記スローブローヒューズ用カセット５ｂの外周面には、上下方向（図５（ｂ）中紙面垂直方向）にカセット側ガイド用凸部３９、３９、３９、３９が形成されている。上記カセット側ガイド用凸部３９、３９、３９、３９は、上記スローブローヒューズ用カセット５ｂが、上記ケース３のカセット収納部１７ａ、１７ｂ、１７ｃの何れかに挿入される際、上記ケース３のケース側ガイド用凸部１９、１９、１９、１９と摺接することになり、それによって、上記スローブローヒューズ用カセット５ｂがガイドされることになる。
また、上記スローブローヒューズ用凹部３３の下方（図６中下方向）には、上記スローブローヒューズ用カセット５ｂの下側（図６中下側）に開口された空間４０が形成されており、上記端子用貫通孔３５ａ、３５ｂはこの空間４０と上記スローブローヒューズ用凹部３３を連通させている。
【００２０】
また、上記スローブローヒューズ用カセット５ｂの外周面には、カセット側係合凸部４１、４１が形成されている。上記カセット側係合凸部４１にも、上記リレー用カセット５ａのカセット側係合凸部３１と同様、上記スローブローヒューズ用カセット５ｂが上記ケース３のカセット収納部１７ａ、１７ｂ、１７ｃの何れかに挿入される際、上記カセット収納部１７ａ、１７ｂ、１７ｃの何れかのケース側係合部の斜面２３ａに対応する斜面４１ａが形成されている。
また、図６及び図７に示すように、上記スローブローヒューズ用カセット５ｂの下部（図６中下側部分）には、バスバ用スリット４２、４２、４２、４２が形成されている。上記バスバ用スリット４２、４２、４２、４２は一直線上に配置されており、上記バスバ１３を挿入し易いように入り口付近が拡開されている。その拡開部を符号４２ａ、４２ａ、４２ａ、４２ａで示す。
なお、上記スローブローヒューズ用カセット５ｂは、上記ケース３のカセット収納部１７ａ、１７ｂ、１７ｃの何れにも挿入できる構成となっている。
【００２１】
上記ブレードヒューズ用カセット５ｃも略直方体形状を成しており、上部（図６中上側部分）には電子部品挿入固定部としてのブレードヒューズ用凹部４３が設けられている。また、上記ブレードヒューズ用凹部４３の底面（図６中下側面）には、ブレードヒューズ用貫通孔４５、４５、４５が穿孔されている。また、上記ブレードヒューズ用貫通孔４５の図５（ｃ）中左右両側は、端子貫通部４５ａ、４５ｂとなっている。また、上記ブレードヒューズ用凹部４３の図５（ｃ）中左右両側には、ブレードヒューズ用ガイド部４７、４７、４７、４７、４７、４７、４７、４７が形成されている。
【００２２】
また、上記ブレードヒューズ用カセット５ｃの外周面には、上下方向（図５（ｃ）中紙面垂直方向）にカセット側ガイド用凸部４９、４９、４９、４９が形成されている。上記カセット側ガイド用凸部４９、４９、４９、４９は、上記ブレードヒューズ用カセット５ｃが、上記ケース３のカセット収納部１７ａ、１７ｂ、１７ｃの何れかに挿入される際、上記ケース３のケース側ガイド用凸部１９、１９、１９、１９と摺接することになり、それによって、上記ブレードヒューズ用カセット５ｃがガイドされることになる。
また、上記ブレードヒューズ用凹部４３の下方（図６中下方向）には、上記ブレードヒューズ用カセット５ｃの下側（図６中下側）に開口された空間５０が形成されており、上記ブレードヒューズ用貫通孔４５はこの空間５０と上記ブレードヒューズ用凹部４３を連通させている。
【００２３】
また、上記ブレードヒューズ用カセット５ｃの外周面には、カセット側係合凸部５１、５１が形成されている。上記カセット側係合凸部５１にも、上記リレー用カセット５ａのカセット側係合凸部３１と同様、上記ブレードヒューズ用カセット５ｃが上記ケース３のカセット収納部１７ａ、１７ｂ、１７ｃの何れかに挿入される際、上記カセット収納部１７ａ、１７ｂ、１７ｃの何れかのケース側係合部２３の斜面２３ａに対応する斜面５１ａが形成されている。
また、図６及び図７に示すように、上記ブレードヒューズ用カセット５ｃの下部（図６中下側部分）には、バスバ用スリット５２、５２、５２、５２が形成されている。上記バスバ用スリット５２、５２、５２、５２は一直線上に配置されており、上記バスバ１３を挿入し易いように入り口付近が拡開されている。その拡開部を符号５２ａ、５２ａ、５２ａ、５２ａで示す。
なお、上記ブレードヒューズ用カセット５ｃは、上記ケース３のカセット収納部１７ａ、１７ｂ、１７ｃの何れにも挿入できる構成となっている。
【００２４】
次に、図６、図７及び図１１を用いて、上記リレ７、上記スローブローヒューズ９、上記ブレードヒューズ１１について説明する。
上記リレ７には、端子５３ａ、５３ｂ、５３ｃ、５３ｄが設けられている。
上記スローブローヒューズ９には、図１１（ｂ）に示すように、その底面（図６中下側面）に開口した差込穴５５ａ、５５ｂが形成されている。上記差込穴５５ａの内部に電源接続端子５７ａが設けられており、上記差込穴５５ｂの内部に端子５７ｂが設けられている。
また、図６に示すように、上記スローブローヒューズ９の外周面にはガイド用凸部５９、５９、５９、５９が設けられている。
上記ブレードヒューズ１１の左端側（図６中左下側）には、電源接続端子６１ａが設けられている。また、上記ブレードヒューズ１１の右端側（図６中右上側）には、端子６１ｂが設けられている。
【００２５】
次に、前述したような、上記ケース３、上記スローブローヒューズ用カセット５ｂ、上記ブレードヒューズ用カセット５ｃ、上記リレ７、上記スローブローヒューズ９、上記ブレードヒューズ１１、及び上記バスバ１３の構造を踏まえて、これらの関係について説明する。
上記ケース３、上記スローブローヒューズ用カセット５ｂ及び上記ブレードヒューズ用カセット５ｃは、上記スローブローヒューズ用カセット５ｂ及び上記ブレードヒューズ用カセット５ｃを上記ケース３に取り付けたとき、上記ケース３のバスバ用スリット２５と上記スローブローヒューズ用カセット５ｂのバスバ用スリット４２、４２、４２、４２と上記ブレードヒューズ用カセット５ｃのバスバ用スリット５２、５２、５２、５２が、図１３に示すように、一直線上に並ぶように構成されているものである。
【００２６】
また、上記スローブローヒューズ用カセット５ｂ及び上記ブレードヒューズ用カセット５ｃは、上記スローブローヒューズ９、９を取り付けた状態のスローブローヒューズ用カセット５ｂ及び上記ブレードヒューズ１１、１１、１１を取り付けた状態のブレードヒューズ用カセット５ｃを上記ケース３に取り付けたとき、上記スローブローヒューズ９、９の電源接続端子５７ａ、５７ａが内装された差込穴５５ａ、５５ａと上記ブレードヒューズ１１、１１、１１の電源接続端子６１ａ、６１ａ、６１ａが一直線上に並ぶように構成されているものである。
【００２７】
また、上記ケース３、上記スローブローヒューズ用カセット５ｂ、及び、上記ブレードヒューズ用カセット５ｃは、上記スローブローヒューズ９、９を取り付けた状態のスローブローヒューズ用カセット５ｂ及び上記ブレードヒューズ１１、１１、１１を取り付けた状態のブレードヒューズ用カセット５ｃを上記ケース３に取り付けた状態において、一直線上に並んだ上記ケース３のバスバ用スリット２５と上記スローブローヒューズ用カセット５ｂのバスバ用スリット４２、４２、４２、４２と上記ブレードヒューズ用カセット５ｃのバスバ用スリット５２、５２、５２、５２の図１中上側に、これと重なるように、一直線上に並んだ上記スローブローヒューズ９、９の差込穴５５ａ、５５ａと上記ブレードヒューズ１１、１１、１１の電源接続端子６１ａ、６１ａ、６１ａが位置するように構成されている。その様子は、図１３に示されている。このような構成によって、平板状の上記バスバ１３を使用することができることになる。
【００２８】
また、上記電気接続箱１において、上記バスバ１３のスローブローヒューズ用端子１３ａが上記スローブローヒューズ用カセット５ｂの端子用貫通孔３５ａを貫通して上記スローブローヒューズ９の差込孔５５ａに挿入され、上記バスバ１３のスローブローヒューズ用端子１３ａと上記スローブローヒューズ９の電源接続端子５７ａが当接し、両者が電気的に接続されている。また、上記バスバ１３のブレードヒューズ用端子１３ｃのスリット１３ｂに上記ブレードヒューズ１１の電源接続端子６１ａが挿入されて当接し、両者が電気的に接続されている。このようにして、上記バスバ１３は、個々の上記スローブローヒューズ９の電源接続端子５７ａや個々の上記ブレードヒューズ１１の電源接続端子である電源接続端子６１ａと電気的に接続しているものである。
また、上記リレ７を取り付けた状態の上記リレー用カセット５ａ、上記スローブローヒューズ９、９を取り付けた状態の上記スローブローヒューズ用カセット５ｂ、上記ブレードヒューズ１１、１１、１１を取り付けた状態の上記ブレードヒューズ用カセット５ｃ、及び、上記バスバ１３を上記ケース３に取り付けて完成した状態の上記電気接続箱１を底面側（図１中下側）から見ると、図１２（ａ）に示すようになっている。また、その状態での上記バスバ１３、上記スローブローヒューズ９、９、及び、上記ブレードヒューズ１１、１１、１１の位置関係は、図１２（ｂ）に示すようになっている。
【００２９】
次に、本実施の形態による電気接続箱１の組み立てについて説明する。
まず、リレー用カセット５ａにリレ７を挿入・固定する。すなわち、上記リレ７の端子５３ａを上記リレー用カセット５ａの端子用貫通孔２７ａに挿入し、上記リレ７の端子５３ｂを上記リレー用カセット５ａの端子用貫通孔２７ｂに挿入し、上記リレ７の端子５３ｃを上記リレー用カセット５ａの端子用貫通孔２７ｃに挿入し、上記リレ７の端子５３ｄを上記リレー用カセット５ａの端子用貫通孔２７ｄに挿入することにより、上記リレ７を上記リレー用カセット５ａに挿入・固定する。上記リレ７を上記リレー用カセット５ａに挿入・固定すると、図８（ａ）に示すような状態となる。
【００３０】
次に、スローブローヒューズ用カセット５ｂにスローブローヒューズ９、９を挿入・固定する。すなわち、上記スローブローヒューズ９を上記スローブローヒューズ用カセット５ｂのスローブローヒューズ用凹部３３内に挿入して、上記スローブローヒューズ９を上記スローブローヒューズ用カセット５ｂに固定する。その際、スローブローヒューズ用ガイド部３７は上記スローブローヒューズ９のガイド用凸部と摺接し、スローブローヒューズ用ガイド部３８は上記スローブローヒューズ９の外壁部に摺接して、上記スローブローヒューズ９の上記スローブローヒューズ用凹部３３内への挿入をガイドする。上記スローブローヒューズ９、９を上記スローブローヒューズ用カセット５ｂに挿入・固定すると、図８（ｂ）に示すような状態となる。
【００３１】
次に、ブレードヒューズ１１、１１、１１をブレードヒューズ用カセット５ｃに挿入・固定する。すなわち、上記ブレードヒューズ用カセット５ｃのブレードヒューズ用貫通孔４５に上記ブレードヒューズ１１の端子側部分（図６中下側部分）を挿入して、上記ブレードヒューズ用カセット５ｃに上記ブレードヒューズ１１を取り付ける。その際、上記ブレードヒューズ１１の図６中上側部分の四隅が、ブレードヒューズ用ガイド部４７と摺接して、上記ブレードヒューズ１１の挿入をガイドする。上記ブレードヒューズ１１が上記ブレードヒューズ用カセット５ｃに挿入・固定されると、上記ブレードヒューズ１１の電源接続端子６１ａは上記ブレードヒューズ用貫通孔４５の端子貫通部４５ａを貫通し、上記ブレードヒューズ用カセット５ｃの空間５０側にその先端を出現させた状態となる。また、上記ブレードヒューズ１１の端子６１ｂも上記ブレードヒューズ用貫通孔４５の端子貫通部４５ｂを貫通し、上記ブレードヒューズ用カセット５ｃの空間５０側にその先端を出現させた状態となる。また、上記ブレードヒューズ１１の図６中上側部分は、上記ブレードヒューズ用カセット５ｃのブレードヒューズ用凹部４３内に挿入・固定される。上記ブレードヒューズ１１、１１、１１を上記ブレードヒューズ用カセット５ｃに挿入・固定すると、図８（ｃ）に示すような状態となる。
【００３２】
次に、バスバ１３をケース３に取り付ける。図４に示すように、上記バスバ１３のスローブローヒューズ用端子１３ａ、１３ａ及びブレードヒューズ用端子１３ｃ、１３ｃ、１３ｃが上記電気接続箱１の上方（図４中下方向）を向く方向に上記バスバ１３を上記ケース３のスリット２５に圧入する。その際、上記スローブローヒューズ用端子１３ａ、１３ａは上記ケース３のカセット収納部１７ｂ内に位置するようにし、上記ブレードヒューズ用端子１３ｃ、１３ｃ、１３ｃは上記ケース３のカセット収納部１７ｃ内に位置するようにする。
【００３３】
次に、上記リレー用カセット５ａを上記ケース３に挿入・固定する。上記リレー用カセット５ａは、図６中上側から、上記ケース３のカセット収納部１７ａに挿入される。上記リレー用カセット５ａが上記カセット収納部１７ａに挿入される際、上記カセット収納部１７ａのケース側ガイド用凸部１９と上記リレー用カセット５ａのカセット側ガイド用凸部２９とが摺接し、上記リレー用カセット５ａがガイドされる。
【００３４】
上記リレー用カセット５ａが上記カセット収納部１７ａ内に挿入されていくと、上記リレー用カセット５ａのカセット側係合部３１の斜面３１ａと上記カセット収納部１７ａのケース側係合部２３の斜面２３ａとの相互作用により、上記カセット収納部１７ａのケース側係合部２３が付勢され上記ケース３が外側に膨らむように弾性変形する。上記リレー用カセット５ａのカセット側係合部３１の図６中上側端が上記カセット収納部１７ａのケース側係合部２３の下側（図６中下方向側）に到達すると、上記ケース３はその弾性力によって元の形状に復元し、図９（ｂ）に示すように上記カセット収納部１７ａのケース側係合部２３と上記リレ用カセット５ａのカセット側係合部３１が係合する。
【００３５】
また、上記リレー用カセット５ａのカセット側ガイド用凸部２９の下端（図９（ａ）中下側端）と上記ケース３のストッパ２１が当接し、上記リレー用カセット５ａが上記ケース３の下方（図９中下方向）へ脱落することを防いでいる。
このようにして、上記リレー用カセット５ａが上記ケース３に固定される。また、上記リレ７は、上記リレー用カセット５ａを介して、上記ケース３に取り付けられることになる。
【００３６】
次に、上記スローブローヒューズ用カセット５ｂを上記ケース３に挿入・固定する。上記スローブローヒューズ用カセット５ｂは、図６中上側から、上記ケース３のカセット収納部１７ｂに挿入される。上記スローブローヒューズ用カセット５ｂが上記カセット収納部１７ｂに挿入される際、上記カセット収納部１７ｂのケース側ガイド用凸部１９と上記スローブローヒューズ用カセット５ｂのカセット側ガイド用凸部３９とが摺接し、上記スローブローヒューズ用カセット５ｂがガイドされる。
【００３７】
また、上記リレー用カセット５ａの取り付けの場合と同様、上記カセット収納部１７ｂのケース側係合部２３と上記スローブローヒューズ用カセット５ｂのカセット側係合部４１が係合し、上記スローブローヒューズ用カセット５ｂのカセット側ガイド用凸部３９の下端（図９（ａ）中下側端）と上記ケース３のストッパ２１が当接する。
このようにして、上記スローブローヒューズ用カセット５ｂが上記ケース３に固定される。また、上記スローブローヒューズ９は、上記スローブローヒューズ用カセット５ｂを介して上記ケース３に取り付けられることになる。
【００３８】
次に、上記ブレードヒューズ用カセット５ｃを上記ケース３に挿入・固定する。上記ブレードヒューズ用カセット５ｃは、上記ケース３のカセット収納部１７ｃに挿入される。上記ブレードヒューズ用カセット５ｃが上記カセット収納部１７ｃに挿入される際、上記カセット収納部１７ｃのケース側ガイド用凸部１９と上記ブレードヒューズ用カセット５ｃのカセット側ガイド用凸部４９とが摺接し、上記ブレードヒューズ用カセット５ｃがガイドされる。
【００３９】
また、上記リレー用カセット５ａの取り付けの場合と同様、上記カセット収納部１７ｃのケース側係合部２３と上記ブレードヒューズ用カセット５ｃのカセット側係合部５１が係合し、上記ブレードヒューズ用カセット５ｃのカセット側ガイド用凸部４９の下端（図９（ａ）中下側端）と上記ケース３のストッパ２１が当接する。
このようにして、上記ブレードヒューズ用カセット５ｃが上記ケース３に固定される。また、上記ブレードヒューズ１１は、上記ブレードヒューズ用カセット５ｃを介して上記ケース３に取り付けられることになる。
【００４０】
上記のように、上記スローブローヒューズ用カセット５ｂ及び上記ブレードヒューズ用カセット５ｃが上記ケース３に取り付けられると、先に上記ケース３に取り付けられた上記バスバ１３が、上記スローブローヒューズ用カセット５ｂのバスバ用スリット４２、４２、４２、４２及び上記ブレードヒューズ用カセット５ｃのバスバ用スリット５２、５２、５２、５２に挿入される。
また、上記バスバ１３のスローブローヒューズ用端子１３ａ、１３ａは、上記スローブローヒューズ用カセット５ｂの端子用貫通孔３５ａ、３５ａを貫通して上記スローブローヒューズ９、９の差込孔５５ａ、５５ａに挿入される。
【００４１】
また、上記のように、上記スローブローヒューズ用カセット５ｂ及び上記ブレードヒューズ用カセット５ｃが上記ケース３に取り付けられると、上記スローブローヒューズ９の電源接続端子５７ａ、５７ａと上記ブレードヒューズ１１の電源接続端子６１ａ、６１ａ、６１ａが上記バスバ１３に当接し、電気的に接続される。すなわち、上記スローブローヒューズ９、９を取り付けたスローブローヒューズ用カセット５ｂを上記ケース３に取り付けると、図１０や図１１（ｂ）に示すように、上記バスバ１３のスローブローヒューズ用端子１３ａ、１３ａが上記スローブローヒューズ用カセット５ｂの端子用貫通孔３５ａ、３５ａを貫通して上記スローブローヒューズ９、９の差込孔５５ａ、５５ａに挿入され、上記バスバ１３のスローブローヒューズ用端子１３ａ、１３ａと上記スローブローヒューズ９の電源接続端子５７ａ、５７ａが当接し、両者が電気的に接続される。また、上記ブレードヒューズ１１、１１、１１を取り付けたブレードヒューズ用カセット５ｃを上記ケース３に取り付けると、図１０や図１１（ａ）に示すように、上記バスバ１３のブレードヒューズ用端子１３ｃ、１３ｃ、１３ｃのスリット１３ｂ、１３ｂ、１３ｂに上記ブレードヒューズ１１、１１、１１の電源接続端子６１ａ、６１ａ、６１ａが挿入されて、両者が電気的に接続される。
【００４２】
なお、上記電気接続箱１が自動車等に取り付けられる際、上記リレ７の端子５３ａ、５３ｂ、５３ｃ、５３ｄや上記スローブローヒューズ９、９の端子５７ｂ、５７ｂ及び、上記ブレードヒューズ１１、１１、１１の端子６１ｂ、６１ｂ、６１ｂは、自動車等の電気回路に接続される。すなわち、上記リレー用カセット５ａの図１中下側の開口部から、自動車の電気回路側の端子が挿入され、この端子が上記リレ７の端子５３ａ、５３ｂ、５３ｃ、５３ｄと接続される。また、上記スローブローヒューズ用カセット５ｂの図１中下側の開口部から、上記スローブローヒューズ用カセット５ｂの端子用貫通孔３５ｂ、３５ｂを貫通して、上記スローブローヒューズ９、９の差込穴５５ｂ、５５ｂに自動車の電気回路側の端子が挿入される。また、上記ブレードヒューズ用カセット５ｃの図１中下側の開口部から、自動車の電気回路側の端子が挿入され、上記ブレードヒューズ１１、１１、１１の端子６１ｂ、６１ｂ、６１ｂと接続される。
【００４３】
以上、本実施の形態の電気接続箱１によると、以下のような効果を奏することができる。
まず、上記電気接続箱１に挿入・固定されたスローブローヒューズ９、９の電源接続端子５７ａ、５７ａ、及びブレードヒューズ１１、１１、１１の電源接続端子６１ａ、６１ａ、６１ａが一直線上に並んでいる。そのため、平板状のバスバ１３を使用することができる。また、上記バスバ１３は構造が単純であるため、製造が容易である。
また、平板状の上記バスバ１３を使用して上記スローブローヒューズ９、９の電源接続端子５７ａ、５７ａ、及び上記ブレードヒューズ１１、１１、１１の電源接続端子６１ａ、６１ａ、６１ａに電源を供給することができるため、ワイヤーハーネス等による複雑なスプライス処理を行う必要がない。
また、リレー用カセット５ａ、スローブローヒューズ用カセット５ｂ、ブレードヒューズ用カセット５ｃは、ケース３のカセット収納部１７ａ、１７ｂ、１７ｃの何れにも挿入できるため、設計変更にも容易に対応することができる。
また、使用するカセットの総数の増減やバスバ１３によって接続される電子部品の数の増減を行う場合は、ケース３やバスバ１３の設計変更をするだけで対応することができ、電気接続箱の設計変更における労力を大きく軽減することができる。
【００４４】
なお、本願発明は前記一実施の形態に限定されない。
例えば、使用するカセットの数は本実施の形態に置いては３つであるが、それ以下の場合やそれ以上の場合も考えられる。
また、本実施の形態では、バスバは２つのカセットにまたがって配置されたが、それ以上の数のカセットにまたがって配置される場合や、一つのカセット内に配置された複数の電子部品の電源接続端子だけを接続する場合も考えられる。
また、使用される電子部品の種類や数も、本実施の形態のものに限られない。
また、カセットやケース及びバスバの形状は様々なものが考えられる。
【産業上の利用可能性】
【００４５】
本発明は、例えば、リレやヒューズなどの電子部品が取り付けられて電気的な接続が行われる電気接続箱に係り、特に、製造が容易で、設計変更も容易に短期間で行うことができ、その費用も安価で済むように工夫したものに係り、例えば、自動車に用いられる電気接続箱に好適である。
【符号の説明】
【００４６】
１  電気接続箱
３  ケース
５ａ  リレー用カセット
５ｂ  スローブローヒューズ用カセット
５ｃ  ブレードヒューズ用カセット
７  リレ
９  スローブローヒューズ
１１  ブレードヒューズ
１３  バスバ
１３ａ  スローブローヒューズ用端子
１３ｃ  ブレードヒューズ用端子
１７ａ  カセット収納部
１７ｂ  カセット収納部
１７ｃ  カセット収納部
【図１】
2012090484.tif 000003
【図２】
2012090484.tif 000004
【図３】
2012090484.tif 000005
【図４】
2012090484.tif 000006
【図５】
2012090484.tif 000007
【図６】
2012090484.tif 000008
【図７】
2012090484.tif 000009
【図８】
2012090484.tif 000010
【図９】
2012090484.tif 000011
【図１０】
2012090484.tif 000012
【図１１】
2012090484.tif 000013
【図１２】
2012090484.tif 000014
【図１３】
2012090484.tif 000015